(57)【要約】【課題】筐体の色が変わってもＬＥＤ光が筺体を透過した後に意図した色が得られるように、容易にＬＥＤの発光色を調整できる携帯端末を提供する。【解決手段】複数色の発光部を備える多色発光手段が筺体内部に配置された携帯端末であって、多色発光手段に対してパルス幅変調信号を出力し、多色発光手段を制御する発光制御手段と、所定の発光色を得るために各色発光部についてパルス幅変調信号の出力値を求め、発光制御手段に設定する信号出力値設定手段と、筺体色に応じたパルス幅変調信号の補正情報を保持する補正情報保持手段と、を有する。【選択図】図２
2010103688.tif 000002
【特許請求の範囲】
【請求項１】
複数色の発光部を備える多色発光手段が筺体内部に配置された携帯端末であって、
前記多色発光手段に対してパルス幅変調信号を出力し、前記多色発光手段を制御する発光制御手段と、
所定の発光色を得るために各色発光部についてパルス幅変調信号の出力値を求め、前記発光制御手段に設定する信号出力値設定手段と、
筺体色に応じたパルス幅変調信号の補正情報を保持する補正情報保持手段と、
を有することを特徴とする携帯端末。
【請求項２】
前記補正情報保持手段は、筺体色情報と各色発光部のパルス幅変調信号に対する補正係数とが対応付けられた補正対応テーブルを前記補正情報として保持することを特徴とする請求項１に記載の携帯端末。
【請求項３】
前記信号出力値設定手段は、前記補正情報保持手段から携帯端末の筺体色情報に対応した前記補正係数を取得し、前記求めた各色発光部のパルス幅変調信号の出力値に前記補正係数を乗じて補正出力値を算出し、前記補正出力値を前記発光制御手段に設定することを特徴とする請求項２に記載の携帯端末。
【請求項４】
前記発光制御手段は、前記信号出力値設定手段により設定された前記補正出力値で前記多色発光手段に対してパルス幅変調信号を出力することを特徴とする請求項３に記載の携帯端末。
【請求項５】
前記多色発光手段は、赤色、緑色、青色の３色のＬＥＤがパッケージ化された発光素子であることを特徴とする請求項１から４のいずれか１項に記載の携帯端末。
【請求項６】
複数色の発光部を備える多色発光手段が筺体内部に配置された携帯端末の発光制御方法であって、
筺体色情報と各色発光部のパルス幅変調信号に対する補正係数とが対応付けられた補正情報を保持する記憶手段から、携帯端末の筺体色情報に対応した前記補正係数を取得する補正係数取得ステップと、
前記補正係数取得ステップにより取得された前記補正係数を用いて、各色発光部のパルス幅変調信号の出力値を補正する信号出力値補正ステップと、
前記信号出力値補正ステップにより得られた前記補正出力値を、前記多色発光手段へのパルス幅変調信号の出力値として設定する信号出力値設定ステップと、
前記信号出力値設定ステップにより設定された出力値でパルス幅変調信号を出力し、前記多色発光手段を制御する発光制御ステップと、
を有することを特徴とする携帯端末の発光制御方法。
【発明の詳細な説明】
【技術分野】
【０００１】
本発明は、携帯端末及びその発光制御方法に関し、特に、例えばカラーバリエーションが豊富でＬＥＤを筺体内部に実装した携帯電話機などに好ましく適用される発光制御の技術に関するものである。
【背景技術】
【０００２】
携帯電話などの携帯端末は、高機能化や小型化が進む一方で、デザイン性もユーザ志向として大きく重視されるようになった。また、このような携帯端末の状態をユーザに伝える手段として、ＬＥＤ（Light Emitting Diode）の色や点灯パターンで知らせる方法が広く用いられている。
【０００３】
しかし、従来の携帯端末では、電話の着信時や通話時に多色ＬＥＤが光る部分について筐体に穴を開け、白色や透明のプラスチックをはめ込むなど、デザインの面で妨げとなっていた。また、多色ＬＥＤの光を筐体に透過させる構造とした場合は、筐体の色によって透過したＬＥＤの色が変化して見えてしまいユーザに誤解を招く恐れがあった。すなわち、筐体を透過してＬＥＤを光らせる構造である場合、筐体色によってはＬＥＤの透過色が制限され、意図した色でユーザに示すことができないといった問題があった。
【０００４】
例えば特許文献１には、ユーザに対して視覚的に強くかつ多彩に訴えることのできる新たな面発光部を備えた携帯端末装置が開示されている。当該携帯端末装置は、筺体の外側の面に配置された面発光部と、透明あるいは半透明で面発光部を覆う着脱可能なパネル部材を備え、着信時などには面発光部全体が発光し、これによりパネル部材もその図柄に応じて発光する。
【特許文献１】特開２００４−８０３９０号公報
【発明の開示】
【発明が解決しようとする課題】
【０００５】
特許文献１で開示された携帯端末装置は、変更したパネル部材に応じて面発光部の発光パターンを変更させるものであり、無色透明でない筺体を透過した後のＬＥＤ光が意図した色となるようにすることはできない。すなわち、筺体通過後にＬＥＤの光が意図した色となるように発光色の調整を行うものではない。
【０００６】
そこで、本発明は、筐体の色が変わってもＬＥＤ光が筺体を透過した後に意図した色が得られるように、容易にＬＥＤの発光色を調整できる携帯端末を提供することを目的とする。
【課題を解決するための手段】
【０００７】
かかる目的を達成するために、本発明の第１の携帯端末は、複数色の発光部を備える多色発光手段が筺体内部に配置された携帯端末であって、多色発光手段に対してパルス幅変調信号を出力し、多色発光手段を制御する発光制御手段と、所定の発光色を得るために各色発光部についてパルス幅変調信号の出力値を求め、発光制御手段に設定する信号出力値設定手段と、筺体色に応じたパルス幅変調信号の補正情報を保持する補正情報保持手段と、を有する。
【０００８】
また、本発明の第一の携帯端末の発光制御方法は、複数色の発光部を備える多色発光手段が筺体内部に配置された携帯端末の発光制御方法であって、筺体色情報と各色発光部のパルス幅変調信号に対する補正係数とが対応付けられた補正情報を保持する記憶手段から、携帯端末の筺体色情報に対応した補正係数を取得する補正係数取得ステップと、補正係数取得ステップにより取得された補正係数を用いて、各色発光部のパルス幅変調信号の出力値を補正する信号出力値補正ステップと、信号出力値補正ステップにより得られた補正出力値を、多色発光手段へのパルス幅変調信号の出力値として設定する信号出力値設定ステップと、信号出力値設定ステップにより設定された出力値でパルス幅変調信号を出力し、多色発光手段を制御する発光制御ステップと、を有する。
【発明の効果】
【０００９】
本発明によれば、携帯端末の筐体色が変わっても、ＬＥＤ光が筺体を透過した後に意図した色が得られるように、容易にＬＥＤの発光色を調整することが可能となる。
【発明を実施するための最良の形態】
【００１０】
まず、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１１】
本発明の実施形態として、図１に示すような多色ＬＥＤを備える携帯電話機について説明する。本実施形態の携帯電話機では、以下の構成により、筐体色が変わっても同じ色で透過するようにＬＥＤの発光色を容易に調整することが可能となっている。
【００１２】
本実施形態の携帯端末装置は、図２に示すように、赤色（Ｒ）、緑色（Ｇ）、青色（Ｂ）の３色のＬＥＤを具備した多色ＬＥＤ２０８、ＰＷＭ（Pulse Width Modulation）信号の出力によって多色ＬＥＤ２０８を制御するＬＥＤコントローラ２０７、ＬＥＤコントローラ２０７に対してＰＷＭ信号のデューティ値を設定するＣＰＵ２０１、携帯端末の制御プログラム及びデータが書き込まれた内蔵メモリ２０２、そしてＬＣＤ２０３、キー入力回路２０４、マイク２０５、スピーカ２０６を有する。
【００１３】
内蔵メモリ２０２は、制御プログラム、電話帳、メール、スケジュール、メモ、音声、画像、動画など携帯電話機１０１が扱う様々なデータを格納する。また、内蔵メモリ２０２は、請求項１の補正情報保持手段に対応し、図５に示すような筐体色情報５０１と補正乗数テーブル５０２を保持する。
【００１４】
ＣＰＵ２０１は、制御全般を行うための中央演算処理装置である。また、ＣＰＵ２０１は、請求項１の信号出力値設定手段に対応し、演算で求めたＲ、Ｇ、Ｂの各デューティ値に対して筐体色に応じた補正乗数をかけて補正デューティ値を算出し、該補正デューティ値をＬＥＤコントローラ２０７に設定する。
【００１５】
ＬＥＤコントローラ２０７は、請求項１の発光制御手段に対応し、ＣＰＵ２０１で設定されたＰＷＭ信号のデューティ値をもとに、多色ＬＥＤ２０８のＰＷＭ信号制御を行う回路である。
【００１６】
多色ＬＥＤ２０８は、Ｒ、Ｇ、Ｂの３色のＬＥＤがパッケージされた発光素子である。また、多色ＬＥＤ２０８は、請求項１の多色発光手段に対応し、ＬＥＤコントローラ２０７から入力したＰＷＭ信号に従って各色のＬＥＤを点灯、点滅する。
【００１７】
キー入力回路２０４は、テンキー、機能キー等を含んだキーボードからなるボタンスイッチ群で構成される。また、ＬＣＤ２０３、マイク２０５、スピーカ２０６は、当業者において一般的によく知られているため、構成の説明は省略する。
【００１８】
本実施形態における多色ＬＥＤの発光制御について図２を用いて説明する。
【００１９】
図２において、多色ＬＥＤ２０８のＲ、Ｇ、Ｂの制御は、ＬＥＤコントローラ２０７によるＰＷＭ信号の出力によって行われる。ＰＷＭ信号のデューティ値は、Ｒ、Ｇ、ＢそれぞれをＣＰＵ２０１で演算し、ＬＥＤコントローラ２０７へ設定する。なお、ここで演算されるデユーティ値は、所望の色（筺体通過前の色）を得るための各色ＬＥＤに対するＰＷＭ信号の出力値といえる。
【００２０】
また、ＰＷＭ信号のデューティ値は０〜１２８の範囲で設定が可能であり、１２８の時にＬＥＤの輝度が最大となる。また、Ｒ、Ｇ、ＢのそれぞれのＰＷＭ信号出力をＣＰＵ２０１からＬＥＤコントローラへ設定するよってＯＮ、ＯＦＦ制御することができる。
【００２１】
例えば、Ｒ（赤）とＧ（緑）の混色により多色ＬＥＤ２０８を黄色で点滅させる場合には、Ｒ（赤）とＧ（緑）のＰＷＭ信号出力をＯＮ、Ｂ（青）のＰＷＭ信号出力をＯＦＦにして、図３に示すように、ＣＰＵ２０１からＬＥＤコントローラ２０７にデューティ値を設定することで多色ＬＥＤ２０８を黄色点滅させることが可能である。
【００２２】
次に、図４を用いて加法混色と呼ばれる色空間での色の組み合わせについて説明する。Ｒ、Ｇ、Ｂの各デューティ値を全て１２８（１００％）の設定とすると、本図に示すように、多色ＬＥＤ２０８のＲ（赤）、Ｇ（緑）、Ｂ（青）の混色により、７種類の色の組み合わせが可能である。
【００２３】
加法混色では、多色ＬＥＤ２０８のＲ、Ｇ、Ｂの全てのＰＷＭ信号出力をＯＮにすると、白色の発色となる。次に、例えば、Ｒ（赤）、Ｇ（緑）のＰＷＭ信号出力をＯＮにすると、黄色の発色となり、Ｂ（青）、Ｒ（赤）のＰＷＭ信号出力をＯＮにすると、マゼンダ色の発色となり、Ｇ（緑）、Ｂ（青）のＰＷＭ信号出力をＯＮすると、シアン色の発色となる。
【００２４】
次に、図５を用いてＰＷＭ信号のデューティ値の補正について説明する。先に述べたように、本実施形態では、図５に示すような筐体色情報５０１と補正乗数テーブル５０２が内蔵メモリ２０２にあらかじめ書き込まれている。まずは上で説明した通りに、色の組み合わせに応じて、Ｒ、Ｇ、Ｂの各デューティ値がＣＰＵ２０１で算出される。
【００２５】
次に、筐体色情報５０１と、それに対応した補正乗数を、補正乗数テーブル５０２より読み出す。例えば、読み出した筐体色情報５０１が１であった場合、補正乗数テーブル５０２より、Ｒ：０．５、Ｇ：１．０、Ｂ：１．０の補正乗数が読み出される。
【００２６】
次に、上記で算出したＲ、Ｇ、Ｂの各デューティ値に、補正乗数テーブル５０２から読み出した補正乗数をかける。例えば、算出された赤、緑、青の各デューティ値がそれぞれ、１２８、１２８、０であったとすると、以下のような計算となる。
１２８（Ｒデューティ値）  ×  ０．５（Ｒ補正乗数）  ＝  ６４
１２８（Ｇデューティ値）  ×  １．０（Ｇ補正乗数）  ＝  １２８
０（Ｂデューティ値）  ×  １．０（Ｂ補正乗数）  ＝  ０
【００２７】
ＣＰＵ２０１は、上記の計算結果を最終的なデューティ値として、ＬＥＤコントローラ２０７に設定する。これにより、筐体色に応じた、Ｒ、Ｇ、Ｂの各デューティ値の補正が可能となる。
【００２８】
こうして、図６に示すように、多色ＬＥＤ２０８が発したＬＥＤ発光色６０２が筐体６０１を透過して、筐体外に透過色６０３となって透過する構造である場合、例えば筐体色がピンクであるときには、透過色６０３は赤味が強くなり、Ｒ（赤）とＧ（緑）の混色によりＬＥＤ発行色６０２が黄色を発色しても透過色６０３は、赤に寄った色となる。その場合、補正乗数を調整して赤色デューティ値を小さくすることで、透過色を黄色にすることが可能である。
【００２９】
上述した本実施形態によれば、ＣＰＵの演算で求めたデューティ値に筺体色に応じた補正係数を乗じて補正デューティ値を算出し、該補正デューティ値をＬＥＤコントローラに設定して多色ＬＥＤの制御を行うため、ＣＰＵで演算する全てのデューティパターン制御に手を加えることなく、色の調整が容易に可能であることである。
【００３０】
また、上述した本実施形態によれば、所望の透過色を得るための多色ＬＥＤの発光色調整が容易になるため、多色ＬＥＤが光る部分について筐体に穴を開けたりする必要がなく、ＬＥＤ光を筐体に透過させて筐体外の透過色を得る構造を採用できるため、デザイン性に自由度が与えられる。
【００３１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３２】
すなわち、上記実施例においては、赤色（Ｒ）、緑色（Ｇ）、青色（Ｂ）の３色ＬＥＤを筐体に透過させた場合の透過色の調整方法について説明したが、３色ＬＥＤをＬＣＤのバックライトとして使用してもよい。ＬＣＤモジュールの特性として、赤味が強かったり、青みが強かったりしていた場合にＬＣＤバックライトの色を調整することによって、ＬＣＤを正しい色で発色させることが可能となり、色の再現性を容易に高めることができる。
【図面の簡単な説明】
【００３３】
【図１】本発明の実施形態に係る携帯電話機の外観を示した斜視図である。
【図２】本発明の実施形態に係る携帯電話機の概略構成を示したブロック図である。
【図３】本発明の実施形態におけるＰＷＭ信号の出力状態の一例を示したチャート図である。
【図４】加法混色と呼ばれる色空間での色の組み合わせを説明するための図である。
【図５】本発明の実施形態におけるＬＥＤ発光制御に用いられる補正データの一例を示した図である。
【図６】本発明の実施形態に係る携帯電話機のＬＥＤ発光状態を説明するための図である。
【符号の説明】
【００３４】
１０１  携帯電話機
２０１  ＣＰＵ
２０２  内蔵メモリ
２０３  ＬＣＤ
２０４  キー入力回路
２０５  マイク
２０６  スピーカ
２０７  ＬＥＤコントローラ
２０８  多色ＬＥＤ
５０１  筺体色情報
５０２  補正乗数テーブル
６０１  筺体
６０２  ＬＥＤ発光色
６０３  透過色
【図１】
2010103688.tif 000003
【図２】
2010103688.tif 000004
【図３】
2010103688.tif 000005
【図４】
2010103688.tif 000006
【図５】
2010103688.tif 000007
【図６】
2010103688.tif 000008